(57)【要約】【課題】  映像表示システムを構成する複数の表示装置のうち１台の表示装置を、リモコンを用いて操作するときに、リモコンの使用者が煩わしい思いをすることを軽減する。【解決手段】  選択装置は、複数の表示装置を備える映像表示システムに用いられる。選択装置は、リモコン信号を受信する複数の受信部からの信号を処理する。選択装置は、前記複数の表示装置のうち、対象となる表示装置を特定し、該特定した表示装置に対応する制御信号である特定制御信号を生成する制御部と、を有する。【選択図】      図１
2016046568.tif 000002
【特許請求の範囲】
【請求項１】
複数の表示装置を備える映像表示システムに用いられ、リモコン信号を受信する複数の受信部からの信号を処理する選択装置であって、
前記複数の表示装置のうち、対象となる表示装置を特定し、
該特定した表示装置に対応する制御信号である特定制御信号を生成する制御部を備える選択装置。
【請求項２】
請求項１に記載の選択装置において、
前記制御部は、前記複数の受信部が受信した前記リモコン信号の受信強度に基づき
前記対象となる表示装置を特定することを特徴とする選択装置。
【請求項３】
請求項１または２に記載の選択装置と、
リモコン信号を受信する複数の受信部と、を備えることを特徴とする選択システム。
【請求項４】
請求項３に記載の選択システムにおいて、
前記受信部は、前記複数の表示装置が映像を表示する表示部を組み合わせてなる合成映像表示部の外側周部に配置されることを特徴とする選択システム。
【請求項５】
請求項４に記載の選択システムにおいて、
前記複数の受信部は、
前記映像表示システムの左側に配置される左側受信部と、前記映像表示システムの右側に配置される右側受信部と、前記映像表示システムの上側に配置される上側受信部と、前記映像表示システムの下側に配置される下側受信部と、を有し、
前記制御部は、
前記左側受信部が受信した前記リモコン信号の受信強度と、前記右側受信部が受信した前記リモコン信号の受信強度との差である第１の到達位置特性と、前記上側受信部が受信した前記リモコン信号の受信強度と、前記下側受信部が受信した前記リモコン信号の受信強度との差である第２の到達位置特性と、に基づき、前記対象となる表示装置を特定することを特徴とする選択システム。
【請求項６】
請求項５に記載の選択システムにおいて、
前記左側受信部の一部は、前記上側受信部の一部と共通であることを特徴とする選択システム。
【請求項７】
請求項３乃至６に記載の選択システムにおいて、
前記複数の表示装置は前記制御信号が送信される経路によって縦続接続され、
前記複数の表示装置はそれぞれ固有の識別子が予め設定され、
前記制御部は、前記リモコン信号または前記リモコン信号に対応する制御信号に、
前記特定した表示装置に対応する前記識別子を付加して前記特定制御信号を生成し、
前記通信経路を用いて該制御信号を送信することを特徴とする選択システム。
【請求項８】
請求項３乃至７に記載の選択システムと、
複数の表示装置と、
前記リモコン信号を出力する遠隔装置と、を有し、
前記複数の表示装置は前記制御信号が送信される経路によって縦続接続され、
前記複数の表示装置はそれぞれ固有の識別子が予め設定されることを特徴とする映像表示システム。
【請求項９】
請求項８に記載の映像表示システムにおいて、
前記遠隔装置は、指向性のある前記リモコン信号を出力することを特徴とする映像表示システム。
【請求項１０】
請求項９に記載の映像表示システムにおいて、
前記複数の表示装置は、リモコン信号を受信する第２の受信部を有し、
前記第２の受信部が受信するリモコン信号は無効とされることを特徴とする映像表示システム。
【請求項１１】
複数の表示装置を備える映像表示システムに用いられる前記表示装置の選択方法であって、
複数の受信部がリモコン信号を受信し、
前記複数の表示装置のうち、対象となる表示装置を特定し、
該特定した表示装置に対応する制御信号を生成することを特徴とする表示装置の選択方法。
【発明の詳細な説明】
【技術分野】
【０００１】
本発明は、複数の表示装置を備える映像表示システム、映像表示システムにおける複数の表示装置のうち所定の表示装置を選択する選択システム、選択装置および選択方法に関する。
【背景技術】
【０００２】
複数の表示装置を組み合わせて大画面を構成する映像表示システムがある。それぞれの表示装置は、所定の映像を表示する。映像表示システムは、１つの映像を分割し、分割された映像をそれぞれの表示装置に表示し、映像表示システムが構成する大画面に１つの映像を表示する。または、映像表示システムは、それぞれの表示装置にそれぞれ異なる映像を表示し、映像表示システムが構成する大画面に複数の映像を表示する。それぞれの表示装置は、遠隔装置であるリモコン（Ｒｅｍｏｔｅ  Ｃｏｎｔｒｏｌｌｅｒ）などを用いて操作することができる。
【０００３】
特許文献１には、映像表示システムを構成する、チューナー機能を備えたテレビジョン受像機である表示装置を同時にまたは個別に、それぞれの表示装置が表示しているチャネルを、リモコンを用いて切り替えることが記載されている。
【０００４】
また、特許文献２には、映像表示システムを構成する表示装置を同時にまたは個別に、表示装置が備える各種調整機能、例えば「色の濃さ」などを、リモコンを用いて調整することが記載されている。
【先行技術文献】
【特許文献】
【０００５】
【特許文献１】特開２００６−３０８９５１号公報
【特許文献２】特開２００６−３３７４８２号公報
【発明の概要】
【発明が解決しようとする課題】
【０００６】
映像表示システムを構成する複数の表示装置のうち１台の表示装置を個別に操作したい場合がある。しかし、複数の表示装置が同じ機種や、同じ製造者（メーカー）の装置で構成されているとき、所定のリモコンを用いて操作すると、リモコンを用いて操作する対象となる表示装置（以下、対象表示装置とする）以外の表示装置（以下、対象外表示装置とする）も反応してしまう問題がある。
【０００７】
特許文献２に記載の技術では、表示装置に固有の識別番号をそれぞれ設定し、ＯＳＤ画面を用いて対象表示装置を選択して対象表示装置を指定する必要があった。この場合、リモコンの使用者は、対象表示装置を変更するごとに、上記の対応をすることになるので、その操作において煩わしい思いをする。
【０００８】
本発明は、上記課題に着目し、遠隔装置の使用者が煩わしい思いをすることを軽減することを目的とする。
【課題を解決するための手段】
【０００９】
上記目的を達成するために本発明の選択装置は、
複数の表示装置を備える映像表示システムに用いられ、リモコン信号を受信する複数の受信部からの信号を処理する選択装置であって、
前記複数の表示装置のうち、対象となる表示装置を特定し、
該特定した表示装置に対応する制御信号である特定制御信号を生成する制御部と、を有する。
【００１０】
また、上記目的を達成するために本発明の選択システムは、
前記選択装置と、
リモコン信号を受信する複数の受信部と、を有する。
【００１１】
また、上記目的を達成するために本発明の画像表示システムは、
前記選択装置と、
複数の表示装置と、
前記リモコン信号を出力する遠隔装置と、を有する。
【００１２】
上記目的を達成するために本発明の選択方法は、
複数の表示装置を備える表示システムに用いられる前記表示装置の選択方法であって、
複数の受信部がリモコン信号を受信し、
前記複数の表示装置のうち、対象となる表示装置を特定し、
該特定した表示装置に対応する制御信号を生成する。
【発明の効果】
【００１３】
本発明によれば、リモコンの使用者が煩わしい思いをすることを軽減することができる。
【図面の簡単な説明】
【００１４】
【図１】本発明の第１の実施形態に係る映像表示システムの構成を示す概略図である。
【図２】図１に示す映像表示システムが有する選択装置のブロック図である。
【図３】ＩＤコードを含まないリモコン信号の構成の一例を示す図である。
【図４】ＩＤコードを含むリモコン信号の構成の一例を示す図である。
【図５】リモコン信号の到達位置Ｐ０と複数の表示装置との関係を示した概略上面図である。
【図６】リモコン信号の到達位置Ｐ０と複数の表示装置との関係を示した概略側面図である。
【図７】図５および図６の状態のときの受信部が受信したリモコン信号の一例を示す概略図である。
【図８】リモコン信号の到達位置Ｐ１と複数の表示装置との関係を示した概略正面図である。
【図９】リモコン信号の到達位置Ｐ１と複数の表示装置との関係を示した概略上面図である。
【図１０】リモコン信号の到達位置Ｐ１と複数の表示装置との関係を示した概略側面図である。
【図１１】図９および図１０の状態のときの受信部が受信したリモコン信号の一例を示す概略図である。
【図１２】図５に示すリモコンの送信位置におけるリモコン信号の横方向の到達位置Ｐと受信部の受信強度との関係を示す図である。
【図１３】図６に示すリモコンの送信位置におけるリモコン信号の縦方向の到達位置Ｐと受信部の受信強度との関係を示す図である。
【図１４】リモコン信号の横方向の到達位置Ｐと横方向の到達位置特性値Ｈ１との関係を示す図である。
【図１５】リモコン信号の縦方向の到達位置Ｐと縦方向の到達位置特性値Ｖ１との関係を示す図である。
【図１６】本発明の第２の実施形態に係る映像表示システムの構成を示す概略図である。
【図１７】リモコンの送信位置が映像表示システムの正面の位置からずれたときのリモコン信号の到達位置Ｐ２と、複数の表示装置との関係を示した概略上面図である。
【図１８】リモコンの送信位置が映像表示システムの正面の位置からずれたときのリモコン信号の到達位置Ｐ２と、複数の表示装置との関係を示した概略側面図である。
【図１９】図１７および図１８の状態のときの受信部が受信したリモコン信号の一例を示す概略図である。
【図２０】本発明の第３の実施形態に係る映像表示システムの構成を示す概略図である。
【図２１】本発明の第４の実施形態に係る映像表示システムの構成を示す概略図である。
【図２２】図５に示すリモコンの送信位置におけるリモコン信号の横方向の到達位置Ｐと受信部の受信強度との関係を示す図である。
【図２３】図６に示すリモコンの送信位置におけるリモコン信号の縦方向の到達位置Ｐと受信部の受信強度との関係を示す図である。
【図２４】リモコン信号の横方向の到達位置Ｐと横方向の到達位置特性値Ｈ３との関係を示す図である。
【図２５】リモコン信号の縦方向の到達位置Ｐと縦方向の到達位置特性値Ｖ３との関係を示す図である。
【図２６】本発明の第５の実施形態に係る映像表示システムの構成を示す概略図である。
【図２７】本発明の第６の実施形態に係る映像表示システムの構成を示す概略図である。
【発明を実施するための形態】
【００１５】
以下、本発明の実施形態について添付の図面を参照して説明する。なお、本明細書および図面において、同一の機能を有する構成要素については同じ符号を付することにより重複説明を省略する場合がある。
（第１の実施形態）
図１は、本発明の第１の実施形態に係る映像表示システムの構成を示す概略図である。映像表示システム１は、選択装置９０と、表示装置１０−１、１０−２、１０−３、１０−４と、リモコン６０とを有する。なお、表示装置１０−２、１０−３、１０−４は、表示装置１０−１と同じ構成である。また、表示装置１０−１、１０−２、１０−３、１０−４や、受信部３０−１、３０−２、３０−３、３０−４など、「主数字−副数字」で記載されたものは、例えば、表示装置として共通の機能を説明する場合など、表示装置を区別しない場合は主数字を用いて表示装置１０と記載する場合がある。映像表示システム１は、表示装置１０が横方向に２台を、縦方向に２台をそれぞれ組み合わせてなる２（横）×２（縦）の映像表示システムである。
【００１６】
図２に選択装置９０のブロック図を示す。選択装置９０は、表示装置１０を制御する制御信号を生成する。選択装置９０は、制御部２０と、受信部３０−１、３０−２、３０−３、３０−４とを有する。選択装置９０は、信号線５１を介して表示装置１０−１の端子部１３−１に接続される。受信部３０−１、３０−２、３０−３、３０−４は、赤外線センサー３１−１、３１−２、３１−３、３１−４を有する。
【００１７】
受信部３０−１、３０−２、３０−３、３０−４は、リモコン６０から送信されるリモコン信号を受信する。受信部３０は、リモコン信号を受信する第１の受信部である。リモコンから送信されるリモコン信号は、赤外線の信号である。受信部３０−１、３０−２、３０−３、３０−４は、受信した赤外線信号を電気信号に変換した信号（リモコン信号）を、信号線４１、４２、４３、４４を介してそれぞれ制御部２０に送信する。
【００１８】
制御部２０は、受信した複数のリモコン信号に基づいて、複数の表示装置のうち、リモコンを用いて操作される対象となる表示装置（対象表示装置）を特定し、特定した表示装置に対応する制御信号である特定制御信号を生成する。換言すると、特定制御信号は、特定した表示装置に対応し、該表示装置を制御する制御信号である。制御部２０は、生成した特定制御信号を表示装置１０−１に送信する。
【００１９】
表示装置１０は、表示部１１と、受信部１２と、端子部１３と、端子部１４と、表示装置側制御部１５とを有する。表示装置１０は、それぞれ固有のＩＤが予め設定されている。ＩＤは識別子の一例である。表示装置側制御部１５は、表示装置１０の各部を制御する。表示部１１は、表示装置側制御部１５の制御に従い、所定の映像信号に応じて映像を表示する。受信部１２は、リモコン６０から送信されるリモコン信号を受信する。受信部１２は、リモコン信号を受信する第２の受信部である。受信部１２は、受信した赤外線信号を電気信号に変換した信号（リモコン信号）を表示装置側制御部１５に送信する。ただし、本発明の映像表示システムにおいて、受信部１２は無効に設定されている。換言すると、受信部１２が受信するリモコン信号は無効とされる。つまり、受信部１２が赤外線信号を受信しても、受信した赤外線信号（リモコン信号）は表示装置側制御部１５にて無効と判定される。端子部１３および端子部１４は、表示装置側制御部１５と他の装置との間で信号（情報）の送受信を行う経路を構成する端子部である。
【００２０】
表示装置１０−１は、端子部１４−１、端子部１３−２および信号線５２を用いて表示装置１０−２と接続される。表示装置１０−２は、端子部１４−２、端子部１３−３および信号線５３を用いて表示装置１０−３と接続される。表示装置１０−３は、端子部１４−３、端子部１３−４および信号線５４を用いて表示装置１０−４と接続される。つまり、表示装置１０−１、１０−２、１０−３、１０−４は、縦続接続（デイジー・チェーン接続）されている。
【００２１】
表示部１１−１、１１−２、１１−３および１１−４を組み合わせてなる表示部を合成映像表示部１９とする。合成映像表示部１９は、例えば複数の表示部１１の間の、表示部１１の周囲を構成する枠部等を含んでもよい。
【００２２】
受信部３０−１、３０−２、３０−３、３０−４は、合成映像表示部１９の外側周部に配置される。また、受信部３０−１、３０−２、３０−３、３０−４は、合成映像表示部１９の外側周部の４つの角部に配置される。
【００２３】
リモコン６０は、遠隔装置の一例である。リモコン６０は、リモコン６０が有する図示しない操作部に応じて赤外線を用いたリモコン信号を生成し、生成した赤外線リモコン信号をリモコン６０の外部に向けて送信する。
【００２４】
ここで、リモコン信号について説明する。
【００２５】
図３は、ＩＤコードを含まないリモコン信号の構成の一例を示す図である。図４は、ＩＤコードを含むリモコン信号の構成の一例を示す図である。横軸は時間を示す。縦軸は、赤外線信号の場合、光強度を示し、電気信号の場合、電圧を示す。縦軸に対応する信号の振幅が信号レベルを示す。
【００２６】
図３、図４に示すように、リモコン信号は、リモコンが有する操作部の操作に応じて、１つの操作に対応する情報を送信する基本単位である１フレームを有する。リモコン信号の１フレームは、リーダー部とデータ部とで構成される。リモコン信号の１フレームは、信号の終了を示すストップビット部などを有しても良い。
【００２７】
リモコン信号のフレームの先頭には、リーダー部が配置される。リーダー部は、リーダーコードを含む。リーダーコードは、受信した信号がリモコン信号か否かを判定するために用いられるコードである。なお、リーダー部は、リーダーコード以外の、予め設定されたコードを含むリモコン信号の場合もある。
【００２８】
リーダー部の次に、データ部が配置される。データ部は、カスタムコードとコマンドコードとを含む。また、リモコンの設定に応じて、データ部は、さらにＩＤコードを含む場合がある。カスタムコードは、表示装置または選択装置の製造者や機種などに基づいて予め設定されるコードである。コマンドコードは、表示装置を操作する所定の処理に対応するコードである。ＩＤコードはＩＤ（識別子）を示すコードである。
【００２９】
次に、本実施形態の動作について説明する。
【００３０】
リモコン６０は、使用者の操作に応じてリモコン信号を送信する。ここで、リモコン信号はＩＤコードを含まない信号である。リモコン６０からリモコン信号が送信されると、受信部３０−１、３０−２、３０−３、３０−４は、それぞれリモコン信号を受信する。受信部３０−１、３０−２、３０−３、３０−４は、受信したリモコン信号を制御部２０に送信する。
【００３１】
制御部２０は、受信した信号のリーダー部の情報（コード）に基づいて受信した信号がリモコン信号か否かを判定する。制御部２０は、受信した信号がリモコン信号でないと判定すると、処理を中止し、受信した信号がリモコン信号であると判定すると、次の処理に移行する。制御部２０は、受信した信号の、リーダー部に対応する先頭部のＨｉの期間幅とＬｏの期間幅とに基づいて、自機に予め設定されているＨｉの期間幅とＬｏの期間幅との組み合わせをと一致するか否かを判定する。換言すると、制御部２０は、受信部３０から受信した信号のリーダーコードと、自機に設定されているリーダーコードとが一致するか否か判定する。制御部２０は、受信した信号がリーダーコードと一致すると判定すると、当該受信した信号がリモコン信号であると判定し、リーダー部の後に受信した信号をデータ部としてデコードし、カスタムコードとコマンドコードを生成する。なお、受信した信号にＩＤコードが含まれる場合はＩＤコードを生成してもよい。例えば、コードが複数のビットで構成される場合、最上位の１ビットが０のときにコマンドコードとし、最上位の１ビットが１のときにＩＤコードとして予め設定することにより、カスタムコードの次に受信したコードが、コマンドコードとＩＤコードのうち、どちらのコードであるかを判定することができる。
【００３２】
次に、制御部２０は、受信部３０から受信したリモコン信号のカスタムコードが自機に設定されているカスタムコードと一致するか否か判定する。制御部２０は、カスタムコードが一致すると判定すると、リモコン信号の受信強度に基づいて、リモコン信号を用いて操作する対象として特定した表示装置に対応する識別子を示すＩＤコードをリモコン信号に付加して、特定制御信号を生成する。制御部２０は、生成した特定制御信号を表示装置１０−１に送信する。なお、制御部２０は、受信部３０−１、３０−２、３０−３、３０−４から受信したそれぞれのリモコン信号が、同じコードを含むリモコン信号か否かを判定し、同じコードを含むリモコン信号ではないと判定した場合、処理を中止するようにしてもよい。
【００３３】
ここで、リモコン信号の受信強度に基づいて表示装置を特定する処理について説明する。
【００３４】
制御部２０は、受信部３０−１、３０−２、３０−３、３０−４から受信したそれぞれのリモコン信号を用いて、受信したリモコン信号の受信強度を検出する。制御部２０は、検出した受信強度に基づいて、表示装置を特定する。
【００３５】
具体的には、制御部２０は、検出した受信強度に基づいて、リモコン６０の使用者がリモコン６０を向けた、映像表示システムの前面（合成映像表示部１９を含む面）上の位置である、リモコン６０の到達位置Ｐを判定し、リモコンの到達位置Ｐに対応する表示装置１０を特定する。ここで、リモコン６０の到達位置Ｐとは、リモコン６０から赤外線が送信されるときの赤外線の主光線（リモコン６０から送信される赤外線が到達する距離が最大値を示す光線）と映像表示システムの前面（合成映像表示部１９を含む面）との交点である。
【００３６】
図５は、リモコン６０の配置位置（送信位置）が映像表示システム１の正面中央の位置（図５および図６の合成映像表示部１９を視認できる側で、合成映像表示部１９に対応する面と垂直な一点鎖線上）であるときのリモコン信号の到達位置Ｐ０と、複数の表示装置１０との関係を示した概略上面図である。図６は、リモコン６０の送信位置が映像表示システム１の正面中央の位置（図５および図６の合成映像表示部１９を視認できる側で、合成映像表示部１９に対応する面と垂直な一点鎖線上）であるときのリモコン信号の到達位置Ｐ０と、複数の表示装置１０との関係を示した概略側面図である。なお、図５および図６において、リモコン信号の到達位置Ｐ０は、横方向および縦方向とも、合成映像表示部１９の中央付近である。また、映像表示システム１の正面中央の位置とは、複数の受光部３０から等距離の位置である。複数の受光部３０との距離が等しくなる点が１点でない場合は、その差が最小になる位置とする。
【００３７】
図５、図６に示すように、リモコン６０は、リモコン６０から送信される赤外線の主光線７０を中心に、楕円円錐状に横方向の所定の角度７１および縦方向の所定の角度７２の範囲内にリモコン信号を送信する。また、所定の角度７１または７２の範囲において、主光線７０の進行方向に対する角度が大きくなるに従い、送信される信号の強度は弱くなる。つまり、リモコン信号は指向性のある信号である。リモコン信号がリモコン６０から送信されるときの強度および指向性などをリモコン信号の送信特性とする。
【００３８】
なお、表示装置１０−１（１０−３）から表示装置１０−２（１０−４）に向かう方向を横方向（Ｘ軸）とし、表示装置１０−４（１０−３）から表示装置１０−２（１０−１）に向かう方向を縦方向（Ｙ軸）とする。Ｘ軸は左から右に向かって、Ｙ軸は下から上に向かっている。
【００３９】
図７は、図５および図６の状態のときの、受信部３０−１、３０−２、３０−３、３０−４が受信したリモコン信号の一例を示す概略図である。リモコン信号の到達位置が合成映像表示部１９の中央付近であるため、信号レベルは略同じレベルである。なお、リモコン信号の受信強度は、受信部３０が生成した信号レベルに対応する。つまり、信号レベルが高いほど受信強度は強い（高い）と判定される。
【００４０】
図８は、リモコン６０の配置位置（送信位置）が映像表示システム１の正面の中央位置であるときのリモコン信号の到達位置Ｐ１と、複数の表示装置１０との関係を、映像表示システム１の正面側から見た概略正面図である。図９は、図８の状態のときの概略上面図である。図１０は、図８の状態のときの概略側面図である。なお、図９および図１０において、リモコン信号の到達位置Ｐ１は、横方向および縦方向とも、表示装置１０−２の表示部１１−２の中央付近である。
【００４１】
図１１は、図９および図１０の状態のときの、受信部３０−１、３０−２、３０−３、３０−４が受信したリモコン信号の一例を示す概略図である。リモコン信号の到達位置Ｐ１が表示部１１−２の中央付近であるため、リモコン信号の到達位置Ｐ１に近い受信部３０−２の受信強度が最も強くなる。また、リモコン信号の送信特性に基づき、リモコン信号の到達位置Ｐ１と受信部３０との位置関係により、受信部３０−４、受信部３０−１の順に受信強度が弱くなり、リモコン信号の到達位置Ｐ１に最も遠い受信部３０−３の受信強度が一番弱くなる。
【００４２】
受信部３０−１、３０−２、３０−３、３０−４は、映像表示システム１との位置関係により、映像表示システム１の左側に配置される左側受信部と、前記映像表示システム１の右側に配置される右側受信部と、前記映像表示システム１の上側に配置される上側受信部と、前記映像表示システム１の下側に配置される下側受信部と、に予め分類される。ここでは、受信部３０−１および３０−３は左側受信部に、受信部３０−２および３０−４は右側受信部に、受信部３０−１および３０−２は上側受信部に、受信部３０−３および３０−４は下側受信部に分類される。
【００４３】
なお、左側受信部の一部（受信部３０−１）は、上側受信部の一部と共通であり、左側受信部の他の一部（受信部３０−３）は、下側受信部の一部と共通である。また、右側受信部の一部（受信部３０−２）は、上側受信部の一部と共通であり、右側受信部の他の一部（受信部３０−４）は、下側受信部の一部と共通である。
【００４４】
図１２は、図５に示すリモコン６０の送信位置におけるリモコン信号の横方向の到達位置Ｐと受信部３０の信号レベル（受信強度）との関係を示す図である。縦軸に信号レベル、横軸に横方向の到達位置Ｐを示す。リモコン信号の横方向の到達位置Ｐが右側に行くほど映像表示システム１の右側に配置されている右側受信部である受信部３０−２および受信部３０−４の信号レベルが高くなり、映像表示システム１の左側に配置されている左側受信部である受信部３０−１および受信部３０−３の信号レベルが低くなる。ただし、横方向の特性について、受信部３０−１と受信部３０−３とは同じ点線で示され、受信部３０−２と受信部３０−４とは同じ直線で示されているが、これは便宜的に同じ傾向を示すことを表しているのであって、同じ値を示すとは限らない。
【００４５】
図１３は、図６に示すリモコン６０の送信位置におけるリモコン信号の縦方向の到達位置Ｐと受信部３０の信号レベル（受信強度）との関係を示す図である。縦軸に信号レベル、横軸に縦方向の到達位置Ｐを示す。リモコン６０の縦方向の到達位置Ｐが上側に行くほど映像表示システム１の上側に配置されている上側受信部である受信部３０−１および受信部３０−２の信号レベルが高くなり、映像表示システム１の下側に配置されている下側受信部である受信部３０−３および受信部３０−４の信号レベルが低くなる。ただし、縦方向の特性について、受信部３０−１と受信部３０−２とは同じ直線で示され、受信部３０−３と受信部３０−４とは同じ点線で示されているが、これは便宜的に同じ傾向を示すことを表しているのであって、同じ値を示すとは限らない。
【００４６】
図１２および図１３の特性に着目すると、制御部２０は、式（１）および式（２）が示す到達位置特性値Ｈ１、Ｖ１を求めることで、図１４および図１５の関係からリモコン信号の到達位置Ｐを判定することができる。なお、所定の方向、例えば、左方向に対応するリモコン信号を複数の受信部３０−１および３０−３で受信した信号レベルを用いて算出するので、受信部の部品のばらつきによる誤差を平均化することができる。
【００４７】
Ｈ１＝−Ｅ１＋Ｅ２−Ｅ３＋Ｅ４      ・・・式（１）
Ｖ１＝  Ｅ１＋Ｅ２−Ｅ３−Ｅ４      ・・・式（２）
ここで、Ｅ１：受信部３０−１の信号レベル（受信強度）、Ｅ２：受信部３０−２の信号レベル、Ｅ３：受信部３０−３の信号レベル、Ｅ４：受信部３０−４の信号レベル、Ｈ１：リモコン信号の横方向の到達位置に対応する到達位置特性値、Ｖ１：リモコン信号の縦方向の到達位置に対応する到達位置特性値とする。
【００４８】
図１４は、リモコン信号の横方向の到達位置Ｐと横方向の到達位置特性値Ｈ１との関係（横方向到達位置特性）を示す図である。縦軸に到達位置特性値Ｈ１、横軸に横方向の到達位置Ｐを示す。到達位置特性値Ｈ１と表示装置１０との関係は、リモコンの送信特性および受光部３０の位置に基づき、予め設定されている。映像表示システム１の場合、到達位置特性値Ｈ１が映像表示システム１の左側を示す領域Ａ１に含まれると、リモコン信号の到達位置Ｐは映像表示システム１の左側に配置される表示装置１０−１または表示装置１０−３にあると判定される。また、到達位置特性値Ｈ１が映像表示システム１の右側を示す領域Ａ２に含まれると、リモコン信号の到達位置Ｐは映像表示システム１の右側に配置される表示装置１０−２または表示装置１０−４にあると判定される。つまり、制御部２０は、映像表示システム１の右側に配置される受信部３０が受信するリモコン信号の受信強度と、映像表示システム１の左側に配置される受信部３０の受信強度との差である到達位置特性値Ｈ１に基づき、映像表示システム１の右側に配置される表示装置１０か、映像表示システム１の左側に配置される表示装置１０かを判定する。
【００４９】
図１５は、リモコン信号の縦方向の到達位置Ｐと縦方向の到達位置特性値Ｖ１との関係（縦方向到達位置特性）を示す図である。縦軸に到達位置特性値Ｖ１、横軸に横方向の到達位置Ｐを示す。到達位置特性値Ｖ１と表示装置１０との関係は、リモコンの送信特性および受光部３０の位置に基づき、予め設定されている。映像表示システム１の場合、到達位置特性値Ｖ１が映像表示システム１の上側を示す領域Ｃ１に含まれると、リモコン信号の到達位置Ｐは映像表示システム１の上側に配置される表示装置１０−１または表示装置１０−２にあると判定される。また、到達位置特性値Ｖ１が映像表示システム１の下側を示す領域Ｃ２に含まれると、リモコン信号の到達位置Ｐは映像表示システム１の下側に配置される表示装置１０−３または表示装置１０−４にあると判定される。つまり、制御部２０は、映像表示システム１の上側に配置される受信部３０が受信するリモコン信号の受信強度と、映像表示システム１の下側に配置される受信部３０の受信強度との差である到達位置特性値Ｖ１に基づき、映像表示システム１の上側に配置される表示装置１０か、映像表示システム１の下側に配置される表示装置１０かを判定する。
【００５０】
つまり、制御部２０は、左側受信部が受信したリモコン信号の受信強度と、右側受信部が受信したリモコン信号の受信強度との差である到達位置特性Ｈ１と、上側受信部が受信したリモコン信号の受信強度と、下側受信部が受信したリモコン信号の受信強度との差である到達位置特性Ｖ１と、に基づき、対象となる表示装置を特定する。到達位置特性Ｈ１は、第１の到達位置特性である。到達位置特性Ｖ１は、第２の到達位置特性である。
【００５１】
より具体的には、制御部２０は、到達位置特性値Ｈ１および到達位置特性値Ｖ１と到達位置Ｐとの関係に基づき、表示装置１０を特定する。制御部２０は、到達位置特性値Ｈ１が到達位置領域Ａ１に含まれ、到達位置特性値Ｖ１が到達位置領域Ｃ１に含まれると、リモコン信号の到達位置が示す表示装置は、表示装置１０−１と特定する。制御部２０は、到達位置特性値Ｈ１が到達位置領域Ａ２含まれ、到達位置特性値Ｖ１が到達位置領域Ｃ１に含まれると、リモコン信号の到達位置が示す表示装置は、表示装置１０−２と特定する。制御部２０は、到達位置特性値Ｈ１が到達位置領域Ａ１に含まれ、到達位置特性値Ｖ１が到達位置領域Ｃ２に含まれると、リモコン信号の到達位置が示す表示装置は、表示装置１０−３と特定する。制御部２０は、到達位置特性値Ｈ１が到達位置領域Ａ２含まれ、到達位置特性値Ｖ１が到達位置領域Ｃ２に含まれると、リモコン信号の到達位置が示す表示装置は、表示装置１０−４と特定する。
【００５２】
なお、図１２および図１３において、便宜的に、到達位置特性は直線を用いて示されたが、到達位置特性は直線に限定されない。到達位置特性は、リモコンの送信特性や受信部３０の配置などにより曲線となる場合もある。到達位置特性は、リモコンの送信特性や受信部３０の配置などにより、予め設定される。また、同様に、図１４および図１５も直線に限定されない。
【００５３】
表示装置１０−１は、受信した特定制御信号に含まれるリーダーコード、カスタムコードおよびＩＤコードを、自機に設定されているリーダーコード、カスタムコードおよびＩＤコードと一致するか否か判定する。表示装置１０−１は、リーダーコード、カスタムコードおよびＩＤコードが一致した場合、コマンドコードが示す処理を実行する。表示装置１０−１は、リーダーコードおよびカスタムコードが一致し、ＩＤコードが一致しない場合、特定制御信号を縦続接続の後段に配置される表示装置１０−２に送信する。表示装置１０−１は、リーダーコードまたはカスタムコードが一致しない場合、処理を中止する。
【００５４】
表示装置１０−２は、表示装置１０−１と同様の処理を行い、受信した特定制御信号に含まれるＩＤコードが自機に設定されているＩＤコードと一致しない場合、特定制御信号を後段の表示装置１０−３に送信する。表示装置１０−３は、表示装置１０−１と同様の処理を行い、受信した特定制御信号に含まれるＩＤコードが自機に設定されているＩＤコードと一致しない場合、特定制御信号を後段の表示装置１０−４に送信する。表示装置１０−４は、表示装置１０−１と同様の処理を行い、受信した特定制御信号に含まれるＩＤコードが自機に設定されているＩＤコードと一致しない場合、処理を中止する。
【００５５】
なお、選択装置９０の制御部２０においてリーダーコードおよびカスタムコードが一致するか否か判定し、一致しないときに表示装置１０に制御信号を送信しない場合、表示装置１０は、その判定処理を省略してもよい。
【００５６】
また、表示装置１０は、コードの判定処理を行う前に、後段の表示装置１０に特定制御信号を送信してもよい。この場合、全ての表示装置１０に特定制御信号が送信されるが、ＩＤコードが一致した表示装置１０が、コマンドコードが示す処理を実行し、ＩＤコードが一致しない表示装置１０はコマンドコードが示す処理を実行しない。
【００５７】
また、表示装置１０は、自機に設定されているＩＤコードと、特定制御信号に含まれるＩＤコードとが一致した場合、後段の表示装置１０に特定制御信号を送信してもよい。この場合、全ての表示装置１０に特定制御信号が送信されるが、ＩＤコードが一致した表示装置１０が、コマンドコードが示す処理を実行し、ＩＤコードが一致しない表示装置１０はコマンドコードが示す処理を実行しない。
【００５８】
また、表示装置１０は、制御信号にＩＤコードが含まれない場合、制御信号に含まれるリーダーコードおよびカスタムコードが自機に設定されているリーダーコードおよびカスタムコードと一致するか否か判定し、一致すると判定すると、コマンドコードが示す処理を実行してもよい。
（第２の実施形態）
図１６は、本発明の第２の実施形態に係る映像表示システムの構成を示す概略図である。映像表示システム２は、選択装置９１と、表示装置１０−１、１０−２、１０−３、１０−４と、リモコン６０とを有する。なお、表示装置１０と、リモコン６０の機能は、第１の実施形態に係る映像表示システム１と同様であるため、共通する部分については説明を省略する。以下、映像表示システム１との相違点について主に説明する。
【００５９】
選択装置９１は、表示装置１０を制御する制御信号を生成する。選択装置９１は、制御部２１と、受信部３０−１、３０−２、３０−３、３０−４とを有する。
【００６０】
図１７は、リモコン６０の配置位置（送信位置）が映像表示システム２の正面中央の位置（図１７および図１８の合成映像表示部１９を視認できる側で、合成映像表示部１９に対応する面と垂直な一点鎖線上）からずれたときのリモコン信号の到達位置Ｐ２と、複数の表示装置１０との関係を示した概略上面図である。図１８は、リモコン６０の送信位置が映像表示システム２の正面中央の位置（図１７および図１８の合成映像表示部１９を視認できる側で、合成映像表示部１９に対応する面と垂直な一点鎖線上）からずれたときのリモコン信号の到達位置Ｐ２と、複数の表示装置１０との関係を示した概略側面図である。なお、図１７および図１８において、リモコン信号の到達位置Ｐ２は、横方向および縦方向とも、合成映像表示部１９の中央付近である。
【００６１】
図１９は、図１７および図１８の状態のときの、受信部３０−１、３０−２、３０−３、３０−４が受信したリモコン信号の一例を示す概略図である。リモコン信号の到達位置が合成映像表示部１９の中央付近であるが、リモコン６０の送信位置が映像表示システム２の正面中央の位置からずれているため、信号レベルに差を生じる。つまり、リモコン信号の到達位置Ｐ２と受光部３０との距離が小さい受光部３０−３の受信強度が最も強くなる。また、リモコン信号の送信特性に基づき、リモコン６０の送信位置とリモコン６０の到達位置Ｐ２と受信部３０との位置関係により、受信部３０−１、受信部３０−４の順に受信強度が弱くなり、受信部３０−２の受信強度が一番弱くなる。
【００６２】
本実施形態において、使用者は、リモコン６０を用いて映像表示システム２を操作する場合、操作を開始するときに補正処理を実行する。
【００６３】
リモコン６０が図１７および図１８に示す位置に配置されているとする。
【００６４】
リモコン６０の使用者は、リモコン６０の操作部を用いて補正処理の開始を示す所定の操作を行う。このとき、リモコン６０の使用者は、合成映像表示部１９の中央付近がリモコン信号の到達位置になるように、リモコン６０を合成映像表示部１９の中央付近に向けてリモコン信号を送信する。補正処理の開始を示す所定の操作は予め設定されており、例えば、表示装置１０の電源をオンする操作や、補正処理開始ボタンを押す操作などである。リモコン６０は、補正処理を開始する所定の操作に応じて、補正処理の開始を示すリモコン信号を発信する。
【００６５】
制御部２１は、補正処理の開始を示すリモコン信号を受信すると補正処理を開始する。制御部２１は、補正処理の開始を示すリモコン信号を、基準となるリモコン信号とする。制御部２１は、補正処理の開始を示すリモコン信号に対応する、受信部３０−１、３０−２、３０−３、３０−４が受信した信号レベル（受信強度）をそれぞれ検出し、検出した信号レベルを、それぞれの受信部の基準信号レベル（基準受信強度）として設定する。制御部２１は、補正処理を行っている間、受信するリモコン信号の信号レベル（受信強度）を、設定した基準信号レベル（基準受信強度）を用いて補正する。制御部２１は、補正した信号レベル（受信強度）に基づき、第１の実施形態と同様に、表示装置１０を特定する。
【００６６】
リモコン信号の補正は、基準信号レベル（基準受信強度）に対する、任意のリモコン信号の信号レベル（受信強度）の比率として正規化することが望ましい。
【００６７】
制御部２１は、式（３）および式（４）が示す到達位置特性値Ｈ２、Ｖ２を求めることで、第１の実施形態と同様に、リモコン信号の到達位置Ｐを判定することができる。
【００６８】
Ｈ２＝−Ｅ１１／Ｅ０１＋Ｅ１２／Ｅ０２−Ｅ１３／Ｅ０３＋Ｅ１４／Ｅ０４  ・・・式（３）
Ｖ２＝  Ｅ１１／Ｅ０１＋Ｅ１２／Ｅ０２−Ｅ１３／Ｅ０３−Ｅ１４／Ｅ０４  ・・・式（４）
ここで、Ｅ１１：受信部３０−１の信号レベル（受信強度）、Ｅ１２：受信部３０−２の信号レベル、Ｅ１３：受信部３０−３の信号レベル、Ｅ１４：受信部３０−４の信号レベル、Ｅ０１：受信部３０−１の基準信号レベル（基準受信強度）、Ｅ０２：受信部３０−２の基準信号レベル、Ｅ０３：受信部３０−３の基準信号レベル、Ｅ０４：受信部３０−４の基準信号レベル、Ｈ２：リモコン信号の横方向の到達位置に対応する到達位置特性値、Ｖ２：リモコン信号の縦方向の到達位置に対応する到達位置特性値とする。
【００６９】
制御部２０は、左側受信部が受信したリモコン信号の受信強度と、右側受信部が受信したリモコン信号の受信強度との差である到達位置特性Ｈ２と、上側受信部が受信したリモコン信号の受信強度と、下側受信部が受信したリモコン信号の受信強度との差である到達位置特性Ｖ２と、に基づき、対象となる表示装置を特定する。到達位置特性Ｈ２は、第１の到達位置特性に対応する。到達位置特性Ｖ２は、第２の到達位置特性に対応する。
【００７０】
制御部２１は、到達位置特性値Ｈ２および到達位置特性値Ｖ２と到達位置Ｐとの関係（横方向到達位置特性、縦方向到達位置特性）に基づき、表示装置１０を特定する。
【００７１】
補正処理は、表示装置の電源がオフされるか、または、補正処理の終了を示す所定の操作が入力されると終了される。
【００７２】
なお、基準となるリモコン信号は、補正処理の開始を示すリモコン信号を受信した後、最初に受信するリモコン信号としてもよい。この場合、リモコン６０の使用者に対し、合成映像表示部１９の中央付近がリモコン信号の到達位置になるように、リモコン６０を合成映像表示部１９の中央付近に向けてリモコン信号を送信するように促すメッセージを表示部１１に表示することができる。
（第３の実施形態）
図２０は、本発明の第３の実施形態に係る映像表示システムの構成を示す概略図である。映像表示システム３は、選択装置９２と、表示装置１０−１、１０−２、１０−３、１０−４、１０−５、１０−６、１０−７、１０−８、１０−９と、リモコン６０とを有する。映像表示システム３は、表示装置１０が横方向に３台を、縦方向に３台をそれぞれ組み合わせてなる３（横）×３（縦）の映像表示システムである。なお、表示装置１０と、リモコン６０の機能は、第１の実施形態に係る映像表示システム１と同様であるため、共通する部分については説明を省略する。以下、映像表示システム１との相違点について主に説明する。
【００７３】
選択装置９２は、表示装置１０を制御する制御信号を生成する。選択装置９２は、制御部２２と、受信部３０−１、３０−２、３０−３、３０−４とを有する。
【００７４】
表示装置１０−１は、端子部１４−１、端子部１３−２および信号線５２を用いて表示装置１０−２と接続される。表示装置１０−２は、端子部１４−２、端子部１３−３および信号線５３を用いて表示装置１０−３と接続される。表示装置１０−３は、端子部１４−３、端子部１３−４および信号線５４を用いて表示装置１０−４と接続される。表示装置１０−４は、端子部１４−４、端子部１３−５および信号線５５を用いて表示装置１０−５と接続される。表示装置１０−５は、端子部１４−５、端子部１３−６および信号線５６を用いて表示装置１０−６と接続される。表示装置１０−６は、端子部１４−６、端子部１３−７および信号線５７を用いて表示装置１０−７と接続される。表示装置１０−７は、端子部１４−７、端子部１３−８および信号線５８を用いて表示装置１０−８と接続される。表示装置１０−８は、端子部１４−８、端子部１３−９および信号線５９を用いて表示装置１０−９と接続される。
つまり、表示装置１０−１、１０−２、１０−３、１０−４、１０−５、１０−６、１０−７、１０−８および１０−９は、縦続接続（デイジー・チェーン接続）されている。
【００７５】
表示部１１−１、１１−２、１１−３、１１−４、１１−５、１１−６、１１−７、１１−８および１１−９を組み合わせてなる表示部を合成映像表示部とする。
【００７６】
制御部２２は、第１の実施形態と同様に、式（１）および式（２）が示す到達位置特性値Ｈ１、Ｖ１を求めることで、図１４および図１５の関係からリモコン６０の到達位置Ｐを判定することができる。
【００７７】
図１４において、映像表示システム３の場合、到達位置特性値Ｈ１が映像表示システム３の左側を示す領域Ｂ１に含まれると、リモコン信号の到達位置Ｐは映像表示システム３の左側に配置される表示装置１０−１、表示装置１０−４または表示装置１０−７にあると判定される。また、到達位置特性値Ｈ１が映像表示システム３の中央部を示す領域Ｂ２に含まれると、リモコン信号の到達位置Ｐは映像表示システム３の中央部に配置される表示装置１０−２、表示装置１０−５または表示装置１０−８にあると判定される。また、到達位置特性値Ｈ１が映像表示システム３の右側を示す領域Ｂ３に含まれると、リモコン信号の到達位置Ｐは映像表示システム３の右側に配置される表示装置１０−３、表示装置１０−６または表示装置１０−９にあると判定される。つまり、制御部２２は、映像表示システム３の右側に配置される受信部３０が受信するリモコン信号の受信強度と、映像表示システム３の左側に配置される受信部３０の受信強度との差である到達位置特性値Ｈ１に基づき、映像表示システム３の右側に配置される表示装置１０か、映像表示システム３の中央部に配置される表示装置１０か、映像表示システム３の左側に配置される表示装置１０かを判定する。
【００７８】
図１５において、映像表示システム３の場合、到達位置特性値Ｖ１が映像表示システム３の上側を示す領域Ｄ１に含まれると、リモコン信号の到達位置Ｐは映像表示システム３の上側に配置される表示装置１０−１、表示装置１０−２または表示装置１０−３にあると判定される。また、到達位置特性値Ｖ１が映像表示システム３の中央部を示す領域Ｄ２に含まれると、リモコン信号の到達位置Ｐは映像表示システム３の中央部に配置される表示装置１０−４、表示装置１０−５または表示装置１０−６にあると判定される。また、到達位置特性値Ｈ１が映像表示システム３の下側を示す領域Ｄ３に含まれると、リモコン信号の到達位置Ｐは映像表示システム３の下側に配置される表示装置１０−７、表示装置１０−８または表示装置１０−９にあると判定される。つまり、制御部２２は、映像表示システム３の上側に配置される受信部３０が受信するリモコン信号の受信強度と、映像表示システム３の下側に配置される受信部３０の受信強度との差である到達位置特性値Ｖ１に基づき、映像表示システム３の上側に配置される表示装置１０か、映像表示システム３の中央部に配置される表示装置１０か、映像表示システム３の下側に配置される表示装置１０かを判定する。
【００７９】
つまり、制御部２２は、左側受信部が受信したリモコン信号の受信強度と、右側受信部が受信したリモコン信号の受信強度との差である到達位置特性Ｈ１と、上側受信部が受信したリモコン信号の受信強度と、下側受信部が受信したリモコン信号の受信強度との差である到達位置特性Ｖ１と、に基づき、対象となる表示装置を特定する。
【００８０】
制御部２２は、到達位置特性値Ｈ１および到達位置特性値Ｖ１と到達位置Ｐとの関係に基づき、表示装置１０を特定する。
【００８１】
制御部２２は、到達位置特性値Ｈ１が到達位置領域Ｂ１に含まれ、到達位置特性値Ｖ１が到達位置領域Ｄ１に含まれると、リモコン信号の到達位置が示す表示装置は、表示装置１０−１と特定する。制御部２２は、到達位置特性値Ｈ１が到達位置領域Ｂ２に含まれ、到達位置特性値Ｖ１が到達位置領域Ｄ１に含まれると、リモコン信号の到達位置が示す表示装置は、表示装置１０−２と特定する。制御部２２は、到達位置特性値Ｈ１が到達位置領域Ｂ３に含まれ、到達位置特性値Ｖ１が到達位置領域Ｄ１に含まれると、リモコン信号の到達位置が示す表示装置は、表示装置１０−３と特定する。
【００８２】
制御部２２は、到達位置特性値Ｈ１が到達位置領域Ｂ１に含まれ、到達位置特性値Ｖ１が到達位置領域Ｄ２に含まれると、リモコン信号の到達位置が示す表示装置は、表示装置１０−４と特定する。制御部２２は、到達位置特性値Ｈ１が到達位置領域Ｂ２に含まれ、到達位置特性値Ｖ１が到達位置領域Ｄ２に含まれると、リモコン信号の到達位置が示す表示装置は、表示装置１０−５と特定する。制御部２２は、到達位置特性値Ｈ１が到達位置領域Ｂ３に含まれ、到達位置特性値Ｖ１が到達位置領域Ｄ２に含まれると、リモコン信号の到達位置が示す表示装置は、表示装置１０−６と特定する。
【００８３】
制御部２２は、到達位置特性値Ｈ１が到達位置領域Ｂ１に含まれ、到達位置特性値Ｖ１が到達位置領域Ｄ３に含まれると、リモコン信号の到達位置が示す表示装置は、表示装置１０−７と特定する。制御部２２は、到達位置特性値Ｈ１が到達位置領域Ｂ２に含まれ、到達位置特性値Ｖ１が到達位置領域Ｄ３に含まれると、リモコン信号の到達位置が示す表示装置は、表示装置１０−８と特定する。制御部２２は、到達位置特性値Ｈ１が到達位置領域Ｂ３に含まれ、到達位置特性値Ｖ１が到達位置領域Ｄ３に含まれると、リモコン信号の到達位置が示す表示装置は、表示装置１０−９と特定する。
（第４の実施形態）
図２１は、本発明の第４の実施形態に係る映像表示システムの構成を示す概略図である。映像表示システム４は、選択装置９３と、表示装置１０−１、１０−２、１０−３、１０−４と、リモコン６０とを有する。なお、表示装置１０と、リモコン６０の機能は、第１の実施形態に係る映像表示システム１と同様であるため、共通する部分については説明を省略する。以下、映像表示システム１との相違点について主に説明する。
【００８４】
選択装置９３は、表示装置１０を制御する制御信号を生成する。選択装置９３は、制御部２３と、受信部３０−１、３０−２、３０−３、３０−４とを有する。
【００８５】
受信部３０−１、３０−２、３０−３、３０−４は、合成映像表示部の外側周部に配置される。また、受信部３０−１、３０−２、３０−３、３０−４は、合成映像表示部の縦方向および横方向の両端に配置される。
【００８６】
受信部３０−１、３０−２、３０−３、３０−４は、映像表示システム１との位置関係により、映像表示システム１の左側に配置される左側受信部と、前記映像表示システム１の右側に配置される右側受信部と、前記映像表示システム１の上側に配置される上側受信部と、前記映像表示システム１の下側に配置される下側受信部と、に予め分類される。ここでは、受信部３０−３は左側受信部に、受信部３０−４は右側受信部に、受信部３０−１は上側受信部に、受信部３０−２は下側受信部に分類される。
【００８７】
図２２は、図５に示すリモコン６０の位置におけるリモコン信号の横方向の到達位置Ｐと受信部３０の信号レベル（受信強度）との関係を示す図である。ただし、図５は、映像表示システム４と受信部３０の位置が異なる。縦軸に信号レベル、横軸に横方向の到達位置Ｐを示す。リモコン信号の横方向の到達位置Ｐが右側に行くほど映像表示システム１の右側に配置されている右側受信部である受信部３０−４の信号レベルが高くなり、映像表示システム１の左側に配置されている左側受信部である受信部３０−３の信号レベルが低くなる。
【００８８】
図２３は、図６に示すリモコン６０の位置におけるリモコン信号の縦方向の到達位置Ｐと受信部３０の信号レベル（受信強度）との関係を示す図である。ただし、図６は、映像表示システム４と受信部３０の位置が異なる。縦軸に信号レベル、横軸に縦方向の到達位置Ｐを示す。リモコン信号の縦方向の到達位置Ｐが上側に行くほど映像表示システム１の上側に配置されている上側受信部である受信部３０−１の信号レベルが高くなり、映像表示システム１の下側に配置されている下側受信部である受信部３０−２の信号レベルが低くなる。
【００８９】
図２２および図２３の特性に着目すると、制御部２３は、式（３）および式（４）が示す到達位置特性値Ｈ３、Ｖ３を求めることで、図２４および図２５の関係からリモコン信号の到達位置Ｐを判定することができる。
【００９０】
Ｈ３＝−Ｅ３＋Ｅ４      ・・・式（３）
Ｖ３＝  Ｅ１−Ｅ２      ・・・式（４）
ここで、Ｅ１：受信部３０−１の信号レベル（受信強度）、Ｅ２：受信部３０−２の信号レベル、Ｅ３：受信部３０−３の信号レベル、Ｅ４：受信部３０−４の信号レベル、Ｈ３：リモコン信号の横方向の到達位置に対応する到達位置特性値、Ｖ３：リモコン信号の縦方向の到達位置に対応する到達位置特性値とする。
【００９１】
図２４は、リモコン信号の横方向の到達位置Ｐと横方向の到達位置特性値Ｈ３との関係（横方向到達位置特性）を示す図である。縦軸に到達位置特性値Ｈ３、横軸に横方向の到達位置Ｐを示す。到達位置特性値Ｈ３と表示装置１０との関係は、リモコンの送信特性および受光部３０の位置に基づき、予め設定されている。映像表示システム４の場合、到達位置特性値Ｈ３が映像表示システム４の左側を示す領域Ａ１に含まれると、リモコン信号の到達位置Ｐは映像表示システム４の左側に配置される表示装置１０−１または表示装置１０−３にあると判定される。また、到達位置特性値Ｈ３が映像表示システム４の右側を示す領域Ａ２に含まれると、リモコン信号の到達位置Ｐは映像表示システム４の右側に配置される表示装置１０−２または表示装置１０−４にあると判定される。つまり、制御部２３は、映像表示システム４の右側に配置される受信部３０が受信するリモコン信号の受信強度と、映像表示システム４の左側に配置される受信部３０の受信強度との差である到達位置特性値Ｈ３に基づき、映像表示システム４の右側に配置される表示装置１０か、映像表示システム４の左側に配置される表示装置１０かを判定する。
【００９２】
図２５は、リモコン６０の縦方向の到達位置Ｐと縦方向の到達位置特性値Ｖ３との関係（縦方向到達位置特性）を示す図である。縦軸に到達位置特性値Ｖ３、横軸に横方向の到達位置Ｐを示す。到達位置特性値Ｖ３と表示装置１０との関係は、リモコンの送信特性および受光部３０の位置に基づき、予め設定されている。映像表示システム４の場合、到達位置特性値Ｖ３が映像表示システム４の上側を示す領域Ｃ１に含まれると、リモコン信号の到達位置Ｐは映像表示システム４の上側に配置される表示装置１０−１または表示装置１０−２にあると判定される。また、到達位置特性値Ｖ３が映像表示システム４の下側を示す領域Ｃ２に含まれると、リモコン信号の到達位置Ｐは映像表示システム４の下側に配置される表示装置１０−３または表示装置１０−４にあると判定される。つまり、制御部２３は、映像表示システム４の上側に配置される受信部３０が受信するリモコン信号の受信強度と、映像表示システム４の下側に配置される受信部３０の受信強度との差である到達位置特性値Ｖ３に基づき、映像表示システム４の上側に配置される表示装置１０か、映像表示システム４の下側に配置される表示装置１０かを判定する。
【００９３】
つまり、制御部２３は、左側受信部が受信したリモコン信号の受信強度と、右側受信部が受信したリモコン信号の受信強度との差である到達位置特性Ｈ３と、上側受信部が受信したリモコン信号の受信強度と、下側受信部が受信したリモコン信号の受信強度との差である到達位置特性Ｖ３と、に基づき、対象となる表示装置を特定する。到達位置特性Ｈ３は、第１の到達位置特性である。到達位置特性Ｖ３は、第２の到達位置特性である。
【００９４】
より具体的には、制御部２３は、到達位置特性値Ｈ３および到達位置特性値Ｖ３と到達位置Ｐとの関係に基づき、表示装置１０を特定する。制御部２３は、到達位置特性値Ｈ３が到達位置領域Ａ１に含まれ、到達位置特性値Ｖ３が到達位置領域Ｃ１に含まれると、リモコン信号の到達位置が示す表示装置は、表示装置１０−１と特定する。制御部２３は、到達位置特性値Ｈ３が到達位置領域Ａ２含まれ、到達位置特性値Ｖ３が到達位置領域Ｃ１に含まれると、リモコン信号の到達位置が示す表示装置は、表示装置１０−２と特定する。制御部２３は、到達位置特性値Ｈ３が到達位置領域Ａ１に含まれ、到達位置特性値Ｖ３が到達位置領域Ｃ２に含まれると、リモコン信号の到達位置が示す表示装置は、表示装置１０−３と特定する。制御部２３は、到達位置特性値Ｈ３が到達位置領域Ａ２含まれ、到達位置特性値Ｖ３が到達位置領域Ｃ２に含まれると、リモコン信号の到達位置が示す表示装置は、表示装置１０−４と特定する。
【００９５】
なお、図２２および図２３において、便宜的に、到達位置特性は直線を用いて示されたが、到達位置特性は直線に限定されない。到達位置特性は、リモコンの送信特性や受信部３０の配置などにより曲線となる場合もある。到達位置特性は、リモコンの送信特性や受信部３０の配置などにより、予め設定される。また、同様に、図２４および図２５も直線に限定されない。
（第５の実施形態）
図２６は、本発明の第５の実施形態に係る映像表示システムの構成を示す概略図である。映像表示システム５は、選択装置９４と、表示装置１０−１、１０−２と、リモコン６０とを有する。なお、表示装置１０と、リモコン６０の機能は、第１の実施形態に係る映像表示システム１と同様であるため、共通する部分については説明を省略する。以下、映像表示システム１との相違点について主に説明する。
【００９６】
選択装置９４は、表示装置１０を制御する制御信号を生成する。選択装置９４は、制御部２４と、受信部３０−３、３０−４とを有する。
【００９７】
受信部３０−３、３０−４は、合成映像表示部の外側周部に配置される。また、受信部３０−３、３０−４は、合成映像表示部の横方向の両端に配置される。
【００９８】
リモコン６０が映像表示システム５の正面中央の位置に配置されているときのリモコン信号の横方向の到達位置Ｐと受信部３０の信号レベル（受信強度）との関係は、図２２と同様である。
【００９９】
図２２の特性に着目すると、制御部２４は、式（３）が示す到達位置特性値Ｈ３を求めることで、図２４の関係からリモコン信号の到達位置Ｐを判定することができる。
【０１００】
映像表示システム５の場合、到達位置特性値Ｈ３が映像表示システム５の左側を示す領域Ａ１に含まれると、リモコン信号の到達位置Ｐは映像表示システム５の左側に配置される表示装置１０−１にあると判定される。また、到達位置特性値Ｈ３が映像表示システム５の右側を示す領域Ａ２に含まれると、リモコン信号の到達位置Ｐは映像表示システム５の右側に配置される表示装置１０−２にあると判定される。つまり、制御部２４は、映像表示システム５の右側に配置される受信部３０が受信するリモコン信号の受信強度と、映像表示システム５の左側に配置される受信部３０の受信強度との差である到達位置特性値Ｈ３に基づき、映像表示システム５の右側に配置される表示装置１０か、映像表示システム５の左側に配置される表示装置１０かを判定する。
【０１０１】
つまり、制御部２４は、左側受信部が受信したリモコン信号の受信強度と、右側受信部が受信したリモコン信号の受信強度との差である到達位置特性Ｈ３に基づき、対象となる表示装置を特定する。
【０１０２】
制御部２４は、到達位置特性値Ｈ３と到達位置Ｐとの関係に基づき、表示装置１０を特定する。制御部２４は、到達位置特性値Ｈ３が到達位置領域Ａ１に含まれると、リモコン信号の到達位置が示す表示装置は、表示装置１０−１と特定する。制御部２４は、到達位置特性値Ｈ３が到達位置領域Ａ２含まれると、リモコン信号の到達位置が示す表示装置は、表示装置１０−２と特定する。
（第６の実施形態）
図２７は、本発明の第６の実施形態に係る映像表示システムの構成を示す概略図である。映像表示システム６は、選択装置９５と、表示装置１０−１、１０−３と、リモコン６０とを有する。なお、表示装置１０と、リモコン６０の機能は、第１の実施形態に係る映像表示システム１と同様であるため、共通する部分については説明を省略する。以下、映像表示システム１との相違点について主に説明する。
【０１０３】
選択装置９５は、表示装置１０を制御する制御信号を生成する。選択装置９５は、制御部２５と、受信部３０−１、３０−２とを有する。
【０１０４】
受信部３０−１、３０−２は、合成映像表示部の外側周部に配置される。また、受信部３０−１、３０−２は、合成映像表示部の縦方向の両端に配置される。
【０１０５】
リモコン６０が映像表示システム５の正面中央の位置に配置されているときのリモコン信号の縦方向の到達位置Ｐと受信部３０の信号レベル（受信強度）との関係は、図２３と同様である。
【０１０６】
図２３の特性に着目すると、制御部２５は、式（４）が示す到達位置特性値Ｖ３を求めることで、図２５の関係からリモコン信号の到達位置Ｐを判定することができる。
【０１０７】
映像表示システム６の場合、到達位置特性値Ｖ３が映像表示システム６の上側を示す領域Ｃ１に含まれると、リモコン信号の到達位置Ｐは映像表示システム６の上側に配置される表示装置１０−１にあると判定される。また、到達位置特性値Ｖ３が映像表示システム６の下側を示す領域Ｃ２に含まれると、リモコン信号の到達位置Ｐは映像表示システム６の下側に配置される表示装置１０−３にあると判定される。つまり、制御部２５は、映像表示システム６の上側に配置される受信部３０が受信するリモコン信号の受信強度と、映像表示システム６の下側に配置される受信部３０の受信強度との差である到達位置特性値Ｖ３に基づき、映像表示システム６の上側に配置される表示装置１０か、映像表示システム６の下側に配置される表示装置１０かを判定する。
【０１０８】
つまり、制御部２５は、上側受信部が受信したリモコン信号の受信強度と、下側受信部が受信したリモコン信号の受信強度との差である到達位置特性Ｖ３に基づき、対象となる表示装置を特定する。
【０１０９】
制御部２５は、到達位置特性値Ｖ３と到達位置Ｐとの関係に基づき、表示装置１０を特定する。制御部２５は、到達位置特性値Ｖ３が到達位置領域Ｃ１に含まれると、リモコン信号の到達位置が示す表示装置は、表示装置１０−１と特定する。制御部２５は、到達位置特性値Ｖ３が到達位置領域Ｃ２含まれると、リモコン信号の到達位置が示す表示装置は、表示装置１０−３と特定する。
【０１１０】
以上説明したように、本発明の実施形態によれば、リモコン６０の到達位置Ｐを所定の表示装置１０から他の表示装置１０に移動すること、換言すれば、リモコン６０の向きを所定の表示装置１０から他の表示装置１０に向けることにより、リモコン６０を用いて操作する表示装置１０を容易に変更することができるので、リモコン６０の使用者が煩わしい思いをすることを軽減することができる。
【０１１１】
また、本発明の実施形態によれば、リモコン６０に設定される識別子を使用者が変更することなく、リモコン６０を用いて操作する表示装置１０を容易に変更することができるので、リモコンの使用者が煩わしい思いをすることを軽減することができる。
【０１１２】
また、本発明の実施形態によれば、リモコン６０の使用者は、表示装置に設定されている識別子を意識することなく、リモコン６０を用いて操作する表示装置１０を容易に変更することができるので、リモコンの使用者が煩わしい思いをすることを軽減することができる。
【０１１３】
また、本発明の実施形態によれば、リモコン６０の使用者は、リモコン６０の向きを所定の表示装置１０に向けることにより当該表示装置１０を操作することができるので、直感的に表示装置を操作することができ、リモコンの使用者が煩わしい思いをすることを軽減することができる。
【０１１４】
また、本発明の実施形態によれば、表示装置１０が有する受信部１２が受信したリモコン信号は無効となるので、対象外表示装置の不適切な操作（誤動作）を防止することができる。
【０１１５】
以上、実施形態を参照して本発明を説明したが、本発明は上記実施形態に限定されるものではない。本発明の構成や詳細には、本発明のスコープ内で当業者が理解し得る様々な変更をすることができる。
（変形例）
例えば、上記実施形態では、リモコン信号の受信強度は、リモコン信号のリーダー部を用いて検出したが、本発明はかかる例に限定されない。例えば、データ部を用いて検出することもできる。ただし、データ部で検出する場合は、データ部が示す情報（コード）により信号波形が変化するので注意が必要である。
【０１１６】
また、上記実施形態では、特定制御信号は、リモコン信号の形式として生成したが、本発明はかかる例に限定されない。例えば、リモコン信号の形式とは異なる、リモコン信号に対応した、識別子と操作を示すコマンドとを含むコマンド形式としてもよい。
【０１１７】
また、上記実施形態では、横×縦＝２×２、３×３、２×１または１×２の行列に配置される表示装置を用いた映像表示システムとしたが、本発明はかかる例に限定されない。例えば、Ｋ台（Ｋ＝Ｎ×Ｍ、Ｎ、Ｍは自然数、Ｋ≧２）の表示装置を用いた映像表示システムとしてもよい。
【０１１８】
また、上記実施形態では、それぞれの装置の間は信号線により有線で接続されたが、本発明はかかる例に限定されない。例えば、無線で接続されてもよい。
【０１１９】
また、縦続接続（デイジー・チェーン接続）された経路は、一方向の通信ではなく、両方向の通信を行っても良い。
【０１２０】
また、上記実施形態では、リモコンは赤外線を用いて送信するとしたが、本発明はかかる例に限定されない。例えば、送信するリモコン信号が指向性を持つ形式であればよく、電波などを用いてもよい。
【０１２１】
また、制御部２０を制御部親部と制御部子部とに分割し、制御部子部を受信部３０の近傍に配置し、制御部子部が、受信したリモコン信号の受信強度を検出し、検出した受信強度を制御部親部に送信するようにしてもよい。また、制御部子部にリーダーコードを設定し、設定されたリーダーコードと受信したリーダーコードとを比較し、リーダーコードが一致した場合、リモコン信号に含まれる各種コードをデコードし、受信強度とともに、デコードした各種コードを制御部親部に送信するようにしてもよい。この配置によりリモコン信号の送受信による信号の劣化（信号レベルの変化）を防止することができる。
【０１２２】
また、上記実施形態では、複数の受信部１２は無効に設定され、制御部２０は、複数の受信部３０から受信したそれぞれのリモコン信号を用いて、受信したリモコン信号の受信強度を検出するとしたが、本発明はかかる例に限定されない。例えば、複数の受信部１２から受信したそれぞれのリモコン信号を用いて処理を行ってもよい。この場合、受信部３０は削除してもよい。また、受信部１２は、表示装置１０に着脱可能に構成されてもよい。例えば、受信部１２は、それぞれの表示装置１０の４つの角部に着脱可能に構成され、受信部１２は、表示装置１０の４つの角部のうち、表示装置１０を組み合わせてなる映像表示システムの合成映像表示部の外側周部の４つの角部にそれぞれ配置されるようにしてもよい。このとき、合成映像表示部の内側に配置される受信部１２は無効に設定されてもよい。
【０１２３】
また、第３の実施形態、第４の実施形態、第５の実施形態、第６の実施形態において、第２の実施形態と同様に補正処理を行ってもよい。
【符号の説明】
【０１２４】
１、２、３、４、５、６    映像表示システム
１０    表示装置
１１    表示部
１２    受信部
１３、１４    端子部
１５    表示装置側制御部
１９    合成映像表示部
２０、２１、２２、２３、２４、２５    制御部
３０    受信部
３１    赤外線センサー
４１、４２、４３、４４    信号線
５１、５２、５３、５４、５５、５６、５７、５８、５９    信号線
６０    リモコン
７０    主光線
７１、７２    角度
９０、９１、９２、９３、９４、９５    選択装置
【図１】
2016046568.tif 000003
【図２】
2016046568.tif 000004
【図３】
2016046568.tif 000005
【図４】
2016046568.tif 000006
【図５】
2016046568.tif 000007
【図６】
2016046568.tif 000008
【図７】
2016046568.tif 000009
【図８】
2016046568.tif 000010
【図９】
2016046568.tif 000011
【図１０】
2016046568.tif 000012
【図１１】
2016046568.tif 000013
【図１２】
2016046568.tif 000014
【図１３】
2016046568.tif 000015
【図１４】
2016046568.tif 000016
【図１５】
2016046568.tif 000017
【図１６】
2016046568.tif 000018
【図１７】
2016046568.tif 000019
【図１８】
2016046568.tif 000020
【図１９】
2016046568.tif 000021
【図２０】
2016046568.tif 000022
【図２１】
2016046568.tif 000023
【図２２】
2016046568.tif 000024
【図２３】
2016046568.tif 000025
【図２４】
2016046568.tif 000026
【図２５】
2016046568.tif 000027
【図２６】
2016046568.tif 000028
【図２７】
2016046568.tif 000029